(57)【要約】【課題】  差込式メモリを通して拡張可能な内部メモリを有する携帯移動通信装置を提供する。【解決手段】  本発明の携帯移動通信装置１００は、携帯移動通信装置でデータアクセス操作を実行するときに、記憶スペースを提供する差込式メモリーモジュールと、データアクセス操作を実行するときに第１の転送インターフェースを提供する第１の接続インターフェース仕様を有する記憶インターフェースモジュールと、データアクセス操作を実行するために第２の転送インターフェースを提供するための第2の接続インターフェース仕様を備えた転送インターフェースモジュールと、記憶インターフェースモジュールと転送インターフェースモジュールとを統合し、差込式メモリーモジュールを駆動し、制御するメモリ接続制御モジュール、及びメモリ接続制御モジュールによって差込式メモリーモジュールと適宜に連結され、記憶容量が増加される内部メモリーモジュールを備える。【選択図】    図１
2006319445.tif 000002
【特許請求の範囲】
【請求項１】
差込むことで携帯移動通信装置に接続され、携帯移動通信装置でデータアクセス操作を実行するための記憶スペースを提供する差込式メモリーモジュールと、
データアクセス操作を実行するための第１の転送インターフェースを提供する第１の接続インターフェース仕様を有する記憶インターフェースモジュールと、
データアクセス操作を実行するための第２の転送インターフェースを提供するための第１の接続インターフェース仕様と異なった第２の接続インターフェース仕様を有する転送インターフェースモジュールと、
記憶インターフェースモジュールと転送インターフェースモジュールに接続され、データアクセス操作を実行するため差込式メモリーモジュールを駆動し、制御する、メモリ接続制御モジュールと、
携帯移動通信装置内に配置され、メモリ接続制御モジュールを通して差込式メモリーモジュールに接続しており、内部メモリーモジュールのデータ記憶容量を増やす、内部メモリーモジュールと 
を含む差込式拡張メモリを備える携帯移動通信装置。
【請求項２】
更に
RF信号を受信/発信し、RF信号を処理し、RF信号をベース周波数信号に変換する無線周波数信号処理モジュールと、 
ベース周波数信号の音声データをコーディング・デコーディングを行い音声通信サービスを提供する音声コーディング/デコーディング・モジュールと、
その他のモジュールの信号処理を実行する携帯移動通信装置の中心的なモジュールであるマイクロプロセッサー・モジュールと
を備える請求項１に記載の差込式拡張メモリを備える携帯移動通信装置。
【請求項３】
前記マイクロプロセッサー・モジュールがメモリ接続制御モジュールを通して差込式メモリーモジュールまたは内部のメモリーモジュールを選択し、データアクセス操作を実行することを特徴とする請求項２に記載の差込式拡張メモリを備える携帯移動通信装置。
【請求項４】
前記差込式メモリーモジュールが記憶インターフェースモジュールを通して携帯移動通信装置に連結していることを特徴とする請求項１に記載の差込式拡張メモリを備える携帯移動通信装置。
【請求項５】
前記記憶インターフェースモジュールがセキュアデジタルカード（SDカード）であることを特徴とする請求項１に記載の差込式拡張メモリを備える携帯移動通信装置。
【請求項６】
前記記憶インターフェースモジュールがメモリースティックカード（MSカード）であることを特徴とする請求項１に記載の差込式拡張メモリを備える携帯移動通信装置。
【請求項７】
前記記憶インターフェースモジュールがマルチメディアカード（MMC）であることを特徴とする請求項１に記載の差込式拡張メモリを備える携帯移動通信装置。
【請求項８】
前記転送インターフェースモジュールがユニバーサル・シリアル・バス（USB）インターフェースであることを特徴とする請求項１に記載の差込式拡張メモリを備える携帯移動通信装置。
【請求項９】
前記携帯移動通信装置がデータアクセス操作を実行するために転送インターフェースモジュールを通してコンピュータシステムに接続していることを特徴とする請求項８に記載の差込式拡張メモリを備える携帯移動通信装置。
【発明の詳細な説明】
【技術分野】
【０００１】
本発明は、携帯移動通信装置に関し、特に差込式メモリを通して拡張可能メモリを備える携帯移動通信装置に関する。
【背景技術】
【０００２】
情報時代の到来にともない、最近では人々がインターネットにアクセスし、さまざまな情報を検索し、ファイルやデータをダウンロードし、記憶装置に保存することが可能になった。記憶機器のなかでは、携帯型記憶装置（例えば個人用ディスク）が、頻繁に使われており、非常に便利である。
【０００３】
個人用ディスクは、主にフラッシュメモリー（不揮発性メモリー）で構成されている。個人用ディスクは、繰り返して書き込みができ、アクセス速度が速く、薄くて軽いなどの多くの利点を持っている。したがって、非常に普及している。しかし、サイズが小さく、また軽いがために、ユーザーが外出する際、ともすると携帯するのを忘れがちで、置いていってしまうことがある。このことから、ユーザーの仕事や勉強に支障をきたすことが多い。この問題を解決するため、個人用ディスクに紐が取り付けられ、ユーザーから離れないようにしたものがある。
【０００４】
一方、携帯移動通信装置は、今やほとんど多くの人々にとって欠くことのできない通信手段になってきている。現在の携帯移動通信装置によって提供される機能のうち、いくつかのものではユーザーがインターネットにリンクしてデータをアップロード、ダウンロードするのが可能になっている。これには、専用のデータ転送ラインと、対応したコンピュータシステムが必要である。この操作は面倒である。さらに、インターネットからダウンロードされたデータは、携帯移動通信装置の内部メモリに保存する必要がある。そうした内部メモリは概して限られた能力しか持っていない。したがって、ユーザーはファイルサイズとメモリの最大容量に常時注意を払う必要がある。記憶容量が十分でない場合、データにアクセスする操作を続けるにはデータをコンピュータシステムへ転送しなければならない。こうした理由から、個人用ディスクとコミュニケーション機能の利点を組み合わせた装置を提供することが、業界の関心事の１つになってきている。
【発明の開示】
【発明が解決しようとする課題】
【０００５】
前述の問題に鑑み、本発明は、差込式メモリを通して拡張可能な内部メモリを有する携帯移動通信装置を提供する。
【課題を解決するための手段】
【０００６】
上記の課題を解決するために、本発明の携帯移動通信装置は、差込式メモリーモジュール、記憶インターフェースモジュール、転送インターフェースモジュール、メモリ接続制御モジュール、内部メモリーモジュールを備える。
該差込式メモリーモジュールは差込むことによって携帯移動通信装置に接続し、携帯移動通信装置でデータアクセス操作を行うための記憶スペースを提供する。
該記憶インターフェースモジュールは、データアクセス操作実行用の第１の転送インターフェース（例えばセキュアデジタルカード（Secure Digital Card−SDカード）、メモリースティックカード（MSカード）、マルチメディアカード（MMC）など）を用意するため、第１の接続インターフェース仕様を具備する。
【０００７】
該転送インターフェースモジュールは、第２の接続インターフェース仕様を具備し、第１の接続インターフェース仕様と異なっており、データアクセス操作実行用の第２の転送インターフェース（例えばユニバーサル・シリアル・バス−USBインターフェース）を提供する。
該メモリ接続制御モジュールは、記憶インターフェースモジュールと転送インターフェースモジュールに接続され、データアクセス操作を実行するため差込式メモリーモジュールを駆動し、制御する。
該内部メモリーモジュールは、携帯移動通信装置内に配置され、メモリ接続制御モジュールを通して差込式メモリーモジュールに接続しており、内部メモリーモジュールのデータ記憶容量を増やすようになっている。
【０００８】
本発明の携帯移動通信装置には更に以下のものが装備されている。
RF信号を受信/発信し、RF信号を処理し、RF信号をベース周波数信号に変換する無線周波数（RF）信号処理モジュール。
ベース周波数信号の音声データをコーディング/デコーディングし音声通信サービスを提供する音声コーディング/デコーディング・モジュール。
他のモジュールの信号処理を実行する携帯移動通信装置の中心的なモジュールであるマイクロプロセッサー・モジュール。該モジュールはメモリ接続制御モジュールを通して差込式メモリーモジュールまたは内部メモリーモジュールに接続しており、データアクセス操作を実行する。
本発明の携帯移動通信装置によって、差込式メモリが携帯移動通信装置との連結が可能になり、多様な接続インターフェースを通し、データ転送を行うことができる。内部メモリの記憶容量が柔軟に拡張するだけではなく、一般的な個人用ディスクのデータアクセス機能が提供されることによって、携帯移動通信装置の操作の自由度もまた大幅に伸びる。
【発明の効果】
【０００９】
本発明の差込メモリを用いる拡張可能な記憶容量を持つ携帯移動通信装置を使用することで、ユーザーは、さまざまな接続インターフェースを使って差込メモリを携帯移動通信装置に連結させ、データ通信を行うことができる。したがって、内部メモリの記憶容量を柔軟に増やすことができるだけのみならず、一般的な個人用ディスクのデータアクセス機能を提供するものである。このようにして、携帯移動通信装置の操作の使い勝手が改良され得る。
本発明は以下の詳細な説明からより十分に理解できるであろうが、それは例証のためのみであり、そうすることで本発明を限定するものではない。
【発明を実施するための最良の形態】
【００１０】
本発明の携帯移動通信装置のシステムブロック図について、図１を参照する。本発明による携帯移動通信装置１００は、差込式メモリーモジュール１０、記憶インターフェースモジュール１０１、転送インターフェースモジュール１０２、メモリ接続制御モジュール１０３、内部メモリーモジュール１０４、無線周波数（RF）信号処理モジュール１０５、音声コーディング/デコーディング・モジュール１０６とマイクロプロセッサー・モジュール１０７を備えている。
【００１１】
該差込式メモリーモジュール１０は、プラグアンドプレイ接続特性を備えている。この装置は差込むことによって記憶インターフェースモジュール１０１を通して携帯移動通信装置１００に連結され、携帯移動通信装置１００でデータアクセス操作を実行するための記憶スペースを提供するものである。プラグアンドプレイ接続特性を有するため、携帯移動通信装置１００の差込式メモリーモジュール１０は、必要なときにいつでも交換が可能である。差込式メモリーモジュール１０には、ＳＤカード、MSカード、MMC、などが含まれる。
【００１２】
該記憶インターフェースモジュール１０１は、第１の転送インターフェースを提供する第１の接続インターフェース仕様を備えており、差込式メモリーモジュール１０と携帯移動通信装置１００のデータアクセス操作の実行を可能にしている。該記憶インターフェースモジュール１０１は、SDカード、MSカード、MMCなどの小型のメモリーカード・インターフェースを備えている。
該転送インターフェースモジュール１０２は、第２の接続インターフェース仕様を備えており、これは携帯移動通信装置１００用の第２の転送インターフェースを提供する。第２の転送インターフェースは、記憶インターフェースモジュール１０１のインターフェース仕様とは異なっており、データアクセス操作を実行する。該転送インターフェースモジュール１０２は、USBインターフェースである。
【００１３】
該メモリ接続制御モジュール１０３は、記憶インターフェースモジュール１０１と転送インターフェースモジュール１０２に接続している。このモジュールは、インターフェース変換制御回路（図面には示していない）を備えており、記憶インターフェースモジュール１０１および異なるインターフェース仕様の転送インターフェースモジュール１０２を統合し、差込式メモリーモジュール１０のデータアクセス操作を駆動し制御する。このモジュールはまた記憶インターフェースモジュール１０１、転送インターフェースモジュール１０２または内部メモリーモジュール１０４間のデータ転送を行う。差込式メモリーモジュール１０が記憶インターフェースモジュール１０１に連結されると、差込式メモリーモジュール１０を認識し使用するように、制御信号が発生し、マイクロプロセッサー・モジュール１０７に送られる。
【００１４】
該内部メモリーモジュール１０４は、携帯移動通信装置１００内に配置されており、メモリ接続制御モジュール１０３に接続している。該内部メモリーモジュール１０４のデータ記憶容量は、差込式メモリーモジュール１０を通して増加が可能になる。
該RF信号処理モジュール１０５は、マイクロプロセッサー・モジュール１０７に接続しており、RFアンテナ（図面には示さず）によってRF信号を受信/発信し、RF信号を処理し、RF信号をベース周波数信号に変換する。RF信号は通信ネットワーク方式によって使用され、GSM 900/1800/1900MHz、を含む周波数スペクトルを持つビーハイブ（a beehive）型通信システムである。
【００１５】
該音声コーディング/デコーディング・モジュール１０６は、RF信号処理モジュール１０５に接続しており、ベース周波数信号の音声データに対しコーディング・デコーディングを行い音声通信サービスを提供する。
該マイクロプロセッサー・モジュール１０７は、他のモジュールのために信号処理を実行する携帯移動通信装置１００の中心的なモジュールである。このモジュールは、差込式メモリーモジュール１０を制御するメモリ接続制御モジュール１０３によって発生した制御信号を受信し、データアクセス操作を実行する。更にマイクロプロセッサー・モジュール１０７は、メモリ（差込式メモリーモジュール１０または内部メモリーモジュール１０４など）を選択し、メモリ接続制御モジュール１０３を通して必要なデータアクセス操作を実行する。
【００１６】
本発明を使用する実例につき、図２を参照する。まず、ユーザーがデータ（例えば写真、画像、着信メロディーまたはマルチメディア・ファイル）を携帯移動通信装置１００からインターネット３０へアップロードしたり、携帯移動通信装置１００へインターネット３０からダウンロードする場合、ユーザーは、USBインターフェースの転送インターフェースモジュール１０２を通して、携帯移動通信装置１００をコンピュータシステム２０に接続する。このように、コンピュータシステム２０との接続は、特別な転送ラインを使うことなく、直接行うことができる。内部メモリーモジュール１０４では容量が不十分な場合、差込式メモリーモジュール１０を、記憶インターフェースモジュール１０１を通して連結することができる。内部メモリーモジュール１０４に保存されるデータの一部または全部（差込式メモリーモジュール１０の容量により異なる）を差込式メモリーモジュール１０へ移すことが可能である。
このように、携帯移動通信装置１００は、一般的な個人用ディスクの記憶機能を備えている。これにより、メモリのデータ転送操作は、コンピュータシステムなしでも携帯移動通信装置１００のオペレーティングシステムによって実行することが可能である。その結果、データアクセスの利便性が拡大する。
【００１７】
発明の公開目的で、本発明の好ましい実施態様を説明したが、本発明によって開示された実施態様に対する修正、およびその他の実施態様が当業者によって考案されることが考えられる。したがって、添付の請求項は、本発明の精神と範囲から逸脱しない全ての実施態様を対象にすることを意図するものである。
当業者には、特定の変更が行えることは明白であり、それらの変更はこのクレームされた発明の意図や範囲に含まれていると見なされる。
【図面の簡単な説明】
【００１８】
【図１】本発明の携帯移動通信装置のシステムブロック図である。
【図２】コンピュータシステムに連結した本発明の携帯移動通信装置のシステムブロック図である。
【符号の説明】
【００１９】
１０  差込式メモリーモジュール
１００  携帯移動通信装置
１０１  記憶インターフェースモジュール
１０２  転送インターフェースモジュール
１０３  メモリ接続制御モジュール
１０４  内部メモリーモジュール
１０５  無線周波数（RF）信号処理モジュール
１０６  音声コーディング/デコーディング・モジュール
１０７  マイクロプロセッサー・モジュール
２０  コンピュータシステム
３０  インターネット
【図１】
2006319445.tif 000003
【図２】
2006319445.tif 000004